(57)【要約】【目的】受信できる容量の動画ファイルを携帯端末に送信する。【構成】携帯端末の受信メモリの容量以下のデータ量をもつ動画ファイルを生成できない場合には（ステップ14でＮＯ），要約動画を生成するかどうかが確認される（ステップ17）。要約動画を生成する場合には（ステップ17でＹＥＳ），動画ファイルに固有の動画変換情報，携帯端末の受信メモリ容量などを表す端末情報，動画ファイルの特徴量にもとづいて，送信対象となる携帯端末の受信メモリの容量以下のデータ量となり，動画の概要を表わす要約動画ファイルが生成される（ステップ18）。携帯端末からの要求に応じて，要約動画ファイルが携帯端末に送信される（ステップ23）。【選択図】図４
2009055147.tif 000002
【特許請求の範囲】
【請求項１】
動画データのデータ量が，上記動画データを送信する携帯型端末装置の受信メモリの容量よりも大きいかどうかを判定するデータ量判定手段，
上記データ量判定手段によって上記動画データのデータ量が上記携帯型端末装置の受信メモリの容量よりも大きいと判定されたことに応じて，上記動画データによって表わされる動画を構成する各駒における特徴量と動画の再生時間との関係を検出する特徴量−再生時間検出手段，
上記特徴量−再生時間検出手段によって検出された特徴量と動画の再生時間との関係にもとづいて，特徴量の大きい１または複数の動画部分が含まれるように上記携帯型端末装置の受信メモリの容量以下のデータ量をもつ要約動画を表す要約動画データを，上記動画データから生成する要約動画データ生成手段，および
上記要約動画データ生成手段によって生成された要約動画データを上記携帯型端末装置に送信する要約動画データ送信手段，
を備えた動画データ送信装置。
【請求項２】
上記動画データによって表わされる動画のシーンの切り替わりの箇所を検出する切り替わり箇所検出手段をさらに備え，
上記要約動画データ生成手段は，上記切り替わり箇所検出手段によって検出されたシーンの切り替わりの箇所が含まれないように要約動画データを生成するものである，
請求項１に記載の動画データ送信装置。
【請求項３】
上記動画データは，一駒の完全な画像と前駒との差異を表す差分画像が複数画像分つづくグループが複数個からなる動画を表すものであり，
上記要約動画データ生成手段は，
上記特徴量−再生時間検出手段によって検出された特徴量と動画の再生時間との関係にもとづいて，特徴量の大きい１または複数の動画部分が含まれるように上記携帯型端末装置の受信メモリの容量以下のデータ量をもつ要約動画を表す要約動画データが，上記動画データから生成されるものであり，かつ一駒目の画像が完全な画像である要約動画データを抽出するものである，
請求項１または２に記載の動画データ送信装置。
【請求項４】
データ量判定手段が，動画データのデータ量が，上記動画データを送信する携帯型端末装置の受信メモリの容量よりも大きいかどうかを判定し，
特徴量−再生時間検出手段が，上記データ量判定手段によって上記動画データのデータ量が上記携帯型端末装置の受信メモリの容量よりも大きいと判定されたことに応じて，上記動画データによって表わされる動画を構成する各駒における特徴量と動画の再生時間との関係を検出し，
要約動画データ生成手段が，上記特徴量−再生時間検出手段によって検出された特徴量と動画の再生時間との関係にもとづいて，特徴量の大きい１または複数の動画部分が含まれるように上記携帯型端末装置の受信メモリの容量以下のデータ量をもつ要約動画を表す要約動画データを，上記動画データから生成し，
要約動画データ送信手段が，上記要約動画データ生成手段によって生成された要約動画データを上記携帯型端末装置に送信する，
動画データ送信装置の動作制御方法。
【発明の詳細な説明】
【技術分野】
【０００１】
この発明は，動画データ送信装置およびその動作制御方法に関する。
【背景技術】
【０００２】
携帯電話などの携帯型端末装置は，携帯型端末装置ごとに動画表示能力が異なることが多い。このため動画表示能力を携帯型端末装置に対応して記憶しておき，送信する携帯型端末装置の動画表示能力に対応した動画データに変換することがある（特許文献１）。
【特許文献１】特開2006-121614号公報
【０００３】
また，長時間の動画を短くするものもあるが（特許文献２），携帯型端末装置の受信メモリの容量に応じたデータ量をもつ動画データを生成するものについては考えられていない。
【特許文献２】特開2006-148397号公報
【発明の開示】
【０００４】
この発明は，携帯型端末装置の受信メモリの容量以内の動画データを，携帯型端末装置に送信することを目的とする。
【０００５】
この発明による動画データ送信装置は，動画データのデータ量が，上記動画データを送信する携帯型端末装置の受信メモリの容量よりも大きいかどうかを判定するデータ量判定手段，上記データ量判定手段によって上記動画データのデータ量が上記携帯型端末装置の受信メモリの容量よりも大きいと判定されたことに応じて，上記動画データによって表わされる動画を構成する各駒における特徴量と動画の再生時間との関係を検出する特徴量−再生時間検出手段，上記特徴量−再生時間検出手段によって検出された特徴量と動画の再生時間との関係にもとづいて，特徴量の大きい１または複数の動画部分が含まれるように上記携帯型端末装置の受信メモリの容量以下のデータ量をもつ要約動画を表す要約動画データを，上記動画データから生成する要約動画データ生成手段，および上記要約動画データ生成手段によって生成された要約動画データを上記携帯型端末装置に送信する要約動画データ送信手段を備えていることを特徴とする。
【０００６】
この発明は，上記動画データ送信装置に適した動作制御方法も提供している。すなわち，この方法は，データ量判定手段が，動画データのデータ量が，上記動画データを送信する携帯型端末装置の受信メモリの容量よりも大きいかどうかを判定し，特徴量−再生時間検出手段が，上記データ量判定手段によって上記動画データのデータ量が上記携帯型端末装置の受信メモリの容量よりも大きいと判定されたことに応じて，上記動画データによって表わされる動画を構成する各駒における特徴量と動画の再生時間との関係を検出し，要約動画データ生成手段が，上記特徴量−再生時間検出手段によって検出された特徴量と動画の再生時間との関係にもとづいて，特徴量の大きい１または複数の動画部分が含まれるように上記携帯型端末装置の受信メモリの容量以下のデータ量をもつ要約動画を表す要約動画データを，上記動画データから生成し，要約動画データ送信手段が，上記要約動画データ生成手段によって生成された要約動画データを上記携帯型端末装置に送信するものである。
【０００７】
この発明によると，動画データのデータ量が，この動画データを送信する携帯型端末装置の受信メモリの容量よりも大きい場合には，動画データによって表わされる動画を構成する各駒における特徴量と動画の再生時間との関係を検出される。検出された特徴量と再生時間との関係にもとづいて，特徴量の大きい動画部分が含まれ，かつ携帯型端末装置の受信メモリの容量以下のデータ量をもつ要約動画データが動画データから生成される。生成された要約動画データが携帯型端末装置に送信される。
【０００８】
携帯型端末装置に送信される要約動画データのデータ量は，携帯型端末装置の受信メモリの容量以下なので，携帯型端末装置において要約動画データを受信でき，その要約動画データによって表わされる要約動画を再生できるようになる。要約動画は，特徴量の大きい動画部分が含まれているから，動画データによって表わされる動画の特徴的な部分が表わされていることとなる。携帯型端末装置のユーザは，動画の重要な部分を閲覧できるようになる。
【０００９】
上記動画データによって表わされる動画のシーンの切り替わりの箇所を検出する切り替わり箇所検出手段をさらに備えてもよい。この場合，上記要約動画データ生成手段は，たとえば，上記切り替わり箇所検出手段によって検出されたシーンの切り替わりの箇所が含まれないように要約動画データを生成するものとなろう。
【００１０】
上記動画データは，一駒の完全な画像と前駒との差異を表す差分画像が複数画像分つづくグループが複数個からなる動画を表すものでもよい。この場合，上記要約動画データ生成手段は，たとえば，上記特徴量−再生時間検出手段によって検出された特徴量と動画の再生時間との関係にもとづいて，特徴量の大きい1または複数の動画部分が含まれるように上記携帯型端末装置の受信メモリの容量以下のデータ量をもつ要約動画を表す要約動画データが，上記動画データから生成されるものであり，かつ一駒目の画像が完全な画像である要約動画データを抽出するものとなろう。
【実施例】
【００１１】
図１は，この発明の実施例を示すもので，動画ファイル送信装置の電気的構成を示すブロック図である。
【００１２】
この実施例による動画ファイル送信装置は，携帯電話などの携帯端末（携帯型端末装置）からの要求に応じて，要求した携帯端末に動画ファイルを送信するものである。携帯端末には受信メモリが設けられており，その受信メモリの容量以下のデータ量をもつ動画ファイルを受信することができるがその受信メモリの容量より大きいデータ量をもつ動画ファイルを受信できない。受信した動画ファイルによって表される動画が携帯端末に設けられている表示装置の表示画面に表示される。この実施例においては，携帯端末の受信メモリの容量以下のデータ量をもつ動画ファイルが携帯端末に送信される。
【００１３】
動画ファイル送信装置の全体の動作は，制御装置３によって統括される。
【００１４】
携帯端末への送信対象となる動画ファイルが入力インターフェイス（図示略）を介して動画ファイル送信装置に入力する。入力した動画ファイルは，動画データベース６に与えられ，記憶される。また，入力した動画ファイルを携帯端末に送信する場合の動画変換情報を表すデータが入力インターフェイス（図示略）を介して動画ファイル送信装置に入力する。入力した動画変換情報を表すデータは，変換情報管理装置４に与えられて動画データベース６に記憶されている動画ファイルと対応づけられて記憶される。動画変換情報は，動画ファイルのファイル名に対応して変換情報管理装置４に記憶される。
【００１５】
図２は，動画変換情報の一例である。
【００１６】
動画変換情報の項目には，優先設定，ステレオ設定および容量超過設定がある。
【００１７】
優先設定は，携帯端末に動画ファイルを送信する場合に動画ファイルによって表わされる動画をどのような質のものにするかを設定するものである。優先設定には，標準画質，画質優先，動き優先および音声優先のそれぞれの設定がある。画質優先は，動画のフレーム・レートを少なくし，映像ビット・レートを多くするように設定するものである。動き優先は，映像ビット・レートを多くし，音声ビット・レートを少なくするように設定するものである。音声優先は，映像ビット・レートを少なくし，音声ビット・レートを多くするように設定するものである。
【００１８】
ステレオ設定は，自動ステレオ音声出力または強制的にモノラル音声出力とするかを設定するものである。
【００１９】
容量超過設定は，送信しようとする動画ファイルのデータ量が送信対象である携帯端末の受信メモリの容量を超えている場合の処理を設定するものである。要約動画を送信する，あるいは先頭部分の動画を送信する，を設定できる。要約動画は，動画の全体の中から特徴的な部分が抽出されている動画である。
【００２０】
このような動画変換情報が，動画データベース６に記憶されている多数の動画ファイルに対応して変換情報管理装置４に記憶されている。
【００２１】
図１に戻って，変換情報管理装置４には，端末情報テーブルが格納されている。
【００２２】
図３は，端末情報テーブルの一例である。
【００２３】
端末情報には，携帯端末の動画ファイル・フォーマット，携帯端末に設けられている表示画面に表示できる画像の表示サイズ（表示画面の大きさ），上限の映像ビット・レート，下限の映像ビット・レート，フレーム・レート，音声コーデックの種類，上限の音声ビット・レート，下限の音声ビット・レート，サンプリング周波数，チャネル数，受信メモリ容量（ＫＢ）などがある。
【００２４】
映像ビット・レートは，画像データの１秒当たりのデータ量を表わすものである。携帯端末においては，映像ビット・レートの上限と下限とが決まっているために，端末情報に上限映像ビット・レートおよび下限映像ビット・レートが規定されている。フレーム・レートは，動画を構成する画像の１秒当たりの駒数である。音声ビット・レートは，音声データの１秒当たりのデータ量を表わすものである。音声ビット・レートについても，携帯電話において上限と下限とが決まっているために上限音声ビット・レートと下限音声ビット・レートとが端末情報に規定されている。
【００２５】
表示サイズは，携帯電話に設けられている表示画面のサイズである。Sub-QCIF（Quarter Common Intermediate Format）は，128画素×96画素である。QCIFは，176×144画素である。QVGA（Quarter Video Graphics Array）は，320画素×240画素である。
【００２６】
再び図１に戻って，動画データベース６に格納されている多数の動画ファイルの中から変換等を行うべき動画ファイルが読み出されて特徴量抽出装置７に入力する。特徴量抽出装置７において，動画ファイルによって表される動画の画像のそれぞれにおいて特徴量が抽出される。特徴量抽出装置７において，特徴量と動画の再生時間（動画を構成する各駒の画像）との関係が得られる。特徴量は，動画のシーンが切り換えられたことを示す量（シーン変化を表す量），画像の中に含まれる顔の類似度を表す量，音量の変化を示す量，動画を構成する画像を動きベクトルで表したときの量などである。動画のシーンが切り換えられたことを示す量を特徴量とすることにより，動画シーンの切り換えが含まれる要約動画を生成することができる。画像の中に含まれる顔の類似度を表す量を特徴量とすることにより，顔の画像が含まれる要約動画を生成することができる。音量の変化を示す量，動きベクトルで表したときの量を特徴量とすることにより，動画に変化がある部分が抽出された要約動画が生成される。いずれにしても特徴量抽出装置７において，特徴量と動画の再生時間との関係が抽出される。特徴量と動画の再生時間との関係を表すデータは，特徴量管理装置８に与えられて，動画ファイルごとに記憶される。
【００２７】
携帯端末に送信すべき動画ファイルが生成されるときには，動画データベース６から動画ファイルが読み出される。読み出された動画ファイルは，動画変換／生成装置２に入力する。また，読み出された動画ファイルに対応した変換情報が変換情報管理装置４から読み出されて動画変換／生成装置２に入力する。さらに，送信対象となる携帯端末についての端末情報が端末情報管理装置５から読み出されて動画変換／生成装置２に入力する。動画変換／生成装置２において，送信対象の携帯端末に適したデータ量をもつ動画ファイルが生成される。この動画変換／生成装置２における動画ファイルの変換または生成処理について詳しくは後述する。動画変換／生成装置２において変換または生成された動画ファイルは動画データベース６に与えられて，対応する携帯端末ごとに記憶される。
【００２８】
携帯端末から動画ファイル送信装置に動画ファイルの要求があると，動画ファイルを要求した携帯端末に対応した動画ファイルが動画データベース６から読み出される。読み出された動画ファイルが動画送信インターフェイス１に入力する。動画送信インターフェイス１によって，動画ファイルを要求した携帯端末に動画ファイルが送信されるようになる。
【００２９】
図４は，動画ファイル送信装置の処理手順を示すフローチャートである。
【００３０】
上述したように，動画データベース６に記憶されている多数の動画ファイル（元動画）の中から送信対象の携帯端末用に変換または生成しようとする動画ファイルが読み取られる（ステップ11）。読み取られた動画ファイルは，特徴量抽出装置７に入力する。特徴量抽出装置７において，その読み取られた動画ファイルの再生時間ごとの特徴量が検出される（ステップ12）。これにより，その動画ファイルについての特徴量と再生時間との関係を表すデータが得られる。特徴量と再生時間との関係を表すデータは特徴量管理装置８に与えられて記憶される。また，その動画ファイルについての動画変換情報が変換情報管理装置４から読み取られ，送信対象の携帯端末についての端末情報が端末情報管理装置５から読み取られる（ステップ13）。特徴量と再生時間との関係を表すデータ，動画変換情報および端末情報ならびに送信対象の携帯端末用に変換または生成しようとする動画ファイルは，動画変換／生成装置２に入力する。
【００３１】
動画データベース６から読み取られた動画ファイルについての変換情報および送信対象の携帯端末の端末情報にしたがって，動画データベース６から読み取られた動画ファイルを変換した場合に得られる動画ファイルのデータ量が，その送信対象の携帯端末の受信メモリ容量以下になるかどうかが確認される（ステップ14）。たとえば，変換情報のうち優先設定が標準画質に設定されている場合には，映像ビット・レートと音声ビット・レートとの割合が４：１となるように，動画ファイルにおける映像部分（音声を除いた画像部分）と音声部分とが割り当てられる。
【００３２】
送信対象である携帯端末の受信メモリの容量以下のデータ量をもつ動画ファイルを生成することができれば（ステップ14でＹＥＳ），動画全体の再生時間を短くしなくとも動画ファイル送信装置から送信される動画ファイルを送信対象である携帯端末が受信できるので，動画変換情報および端末情報にしたがって動画ファイルが変換される（ステップ15）。変換された動画ファイルが，携帯端末ごとに動画データベース６に記憶される（ステップ16）。
【００３３】
送信対象である携帯端末の受信メモリの容量以下のデータ量をもつ動画ファイルを生成することができなければ（ステップ14でＮＯ），動画ファイルに対応する動画変換情報の容量超過設定が要約動画を送信するように設定されているか，先頭部分の動画を送信するように設定するかが確認される。要約動画を送信するように設定されている場合には（ステップ17でＹＥＳ），動画変換情報，端末情報および特徴量にもとづいて要約動画ファイルが生成される（ステップ18）。この要約動画ファイルの生成方法について詳しくは後述する。生成された要約動画ファイルが携帯端末に対応して動画データベース６に記憶される（ステップ19）。
【００３４】
容量超過設定が先頭部分の動画を送信するように設定されている場合には（ステップ17でＮＯ），動画変換情報および端末情報にもとづいて端末装置の受信メモリが受信できる程度のデータ量をもつ先頭部分の動画を表す動画ファイルが生成される（ステップ20）。生成された動画ファイルが端末装置に対応して動画データベース６に記憶される（ステップ21）。
【００３５】
このように，携帯端末ごとに携帯端末に送信する動画ファイルがあらかじめ変換または生成されて動画データベース６に記憶される。
【００３６】
携帯端末からの動画の要求があると（ステップ22でＹＥＳ），その要求に応じた動画ファイルであって要求した携帯端末用の動画ファイルが動画データベース６から読み取られる。読み取られた動画ファイルが動画インターフェイス１から，要求した携帯端末に送信される（ステップ23）。
【００３７】
図５は，要約動画生成処理手順（図４ステップ18の処理手順）を示すフローチャートである。
【００３８】
まず，生成すべき要約動画の時間が算出される（ステップ31）。要約動画の時間は，携帯端末の受信メモリの容量およびビット・レートを参照して式１から算出できる。ビット・レートは，決定された映像ビット・レートと音声ビット・レートとの加算値となる。
【００３９】
要約動画の時間（ｓ）＝｛受信メモリの容量（KB）×８｝／ビット・レート（kbps）
・・・式１
たとえば，受信メモリの容量が240KBであり，ビット・レートが160kbpsであったとすると，要約動画の時間は12秒となる。
【００４０】
つづいて，特徴量と動画の再生時間との関係と，算出された要約動画の時間と，にもとづいて，抽出すべき動画の範囲が規定される。まず，所定のしきい値以上の特徴量の極大値が検出される（ステップ31）。検出された極大値近傍の動画の範囲が，すべて合わされたときに算出された要約動画の時間となるように，規定される（ステップ32）。規定された範囲内の動画が合わせられることにより要約動画が生成される（ステップ34）。
【００４１】
図６および図７は，特徴量と動画の再生時間との関係を示している。
【００４２】
図６を参照して，横軸が動画の再生時間であり，縦軸が動画の再生時間に対応した各画像の特徴量を示している。所定のしきい値以上の極大値Ｄ１およびＤ２が検出される。検出された極大値Ｄ１およびＤ２を与える再生時間ｔ１およびｔ２が算出される。
【００４３】
図７を参照して，極大値Ｄ１およびＤ２を与える再生時間ｔ１およびｔ２のそれぞれにおいて再生時間ｔ１およびｔ２を中心に所定の時間Δｔ１およびΔｔ２の動画の範囲が規定される。これらの所定の時間Δｔ１およびΔｔ２は，これらの所定の時間Δｔ１およびΔｔ２が加算されたときに要約動画の時間となるように規定される（Δｔ１＋Δｔ２＝要約動画の時間）。これらの所定の時間Δｔ１およびΔｔ２の動画の範囲が合わされて要約動画となる。
【００４４】
図８は，特徴量と動画の再生時間との関係を表している。
【００４５】
上述したように，しきい値以上の極大値Ｄ３，Ｄ４，Ｄ５が存在する場合に，それらの極大値Ｄ３，Ｄ４，Ｄ５を与える再生時間ｔ３，ｔ４，ｔ５から規定される範囲Δｔ３，Δｔ４，Δｔ５を合わせた動画部分を用いて要約動画とすることができる。Δｔ３＋Δｔ４＋Δｔ５＝要約動画の時間となることはいうまでもない。
【００４６】
図９も特徴量と動画の再生時間との関係を表している。
【００４７】
所定のしきい値以上の極大値Ｄ６，Ｄ７，Ｄ８が存在するものとする。図８に示す例では，所定のしきい値以上の極大値を与える再生時間から範囲を規定して要約動画を生成しているが，かならずしも所定のしきい値以上の極大値を与える再生時間から規定されるすべての範囲を用いて要約動画を生成する必要はない。
【００４８】
所定のしきい値以上の極大値Ｄ６，Ｄ７，Ｄ８が存在した場合に，それらの極大値Ｄ６，Ｄ７，Ｄ８のうち，極大値Ｄ７およびＤ８が選択される。極大値Ｄ７およびＤ８は特徴量の大きい極大値を選択することが好ましいが，必ずしも特徴量の大きい極大値を選択しなくともよい。選択された極大値Ｄ７およびＤ８を与える再生時間ｔ７およびｔ８が検出される。検出された再生時間ｔ７およびｔ８から範囲Δｔ７およびΔｔ８が規定される。規定された範囲Δｔ７およびΔｔ８があわせられることにより要約動画が生成される。この場合もΔｔ７＋Δｔ８＝要約動画の時間とされている。
【００４９】
図10は，変形例を示すもので，特徴量と動画の再生時間との関係を示している。
【００５０】
この変形例においては，モーションJPEG（Joint Photographic Experts Group）による動画のように動画を構成するすべての画像が一駒の完全な画像ではなく，MPEG（Moving Picture Experts Group）による動画のように動画を構成する画像は複数駒に一駒の割合で完全な一駒の画像で，完全な一駒の間に前駒の画像との動きの差分を表すデータが挿入されている動画ファイルから要約動画ファイルが生成されるものである。動画ファイルはMPEGにもとづくものとするが，かならずしもMPEGでなくともよいのはいうまでもない。
【００５１】
上述のように，極大値Ｄ１およびＤ２が検出されて要約動画の範囲Δｔ１およびΔｔ２が規定される。これらの範囲Δｔ１の動画は図10の下に図示されているように（範囲Δｔ２も同様である），単独で完全な一駒の画像を構成できるＩフレームの画像（符合Ｉで示す）と差分を表し単独では完全な一駒の画像を構成できないＢフレームの画像（Ｂフレームの画像）とＰフレームの画像（符号Ｐで示す）（ GOP：group of picture）とが所定の割合で周期的に現れる。
【００５２】
この実施例においては，上述のように要約動画を生成するために規定された範囲Δｔ１の最初の画像が単独で完全な一駒の画像を構成できるＩフレームの画像にされる。最初の画像がＩフレームの画像となるように範囲Δｔ１（Δｔ２も）を規定してもよいし，最初の画像がＢフレームの画像またはＰフレームの画像の場合には，それらのＢフレームの画像またはＰフレームの画像からＩフレームの画像を生成して，範囲Δｔ１（Δｔ２も）の最初の画像がＩフレームの画像とされる。最初の画像が，単独で完全な一駒の画像でない場合には，単独で完全な一駒の画像が現れるまで，完全な一駒の画像を再生できないが，この実施例においては，要約動画を構成するそれぞれの範囲の最初の画像が単独で完全な一駒の画像となるので，要約動画を構成する各範囲の動画部分の最初から完全な一駒の画像を再生できる。
【００５３】
図11および図12は，他の実施例を示すもので，特徴量と動画再生時間との関係を示している。
【００５４】
この実施例は，動画シーンの切り替えが要約動画を構成する各範囲に含まれないようにするものである。要約動画にはシーンが切り替わる箇所が含まれないので，要約動画を構成する各範囲内ではシーンが突然切り替わってしまうということを未然に防止できる。シーンの切り替えが要約動画を構成する各範囲に含まれないようにする場合には，特徴量には動画のシーンが切り換えられたことを示す量は用いられないこととなろう。
【００５５】
図11を参照して，符号Ｓ１，Ｓ２，Ｓ３およびＳ４で示す箇所で動画シーンの切り替えがあったものとする。この動画シーンの切り替えの検出は，前後の画像の変化量にもとづいて特徴量抽出装置７によって検出することができる。たとえば，前後の画像を，それらの画像を構成するある範囲内において比べた場合に，範囲内におけるほぼすべての画素が全く異なっている場合にはシーンが切り替わっているとされる。
【００５６】
しきい値以上の極大値Ｄ１およびＤ２が検出されて，上述のように要約動画を構成すべき範囲Δｔ１およびΔｔ２が仮に規定される。仮に規定された範囲Δｔ１およびΔｔ２内にシーンの切り替えが無ければ，それらの範囲Δｔ１およびΔｔ２を用いて要約動画が生成される。図11に示すように，範囲Δｔ１にシーンの切り替えＳ２が存在すると，範囲Δｔ１は要約動画には用いられない。
【００５７】
図12を参照して，新たな極大値Ｄ０が検出される。検出された極大値Ｄ０から新たな範囲Δｔ０が規定される。規定された範囲Δｔ２およびΔｔ０を用いて要約動画が生成される。
【００５８】
要約動画に含まれるシーンの切り替わりを減らすことができる。
【図面の簡単な説明】
【００５９】
【図１】動画ファイル送信装置の電気的構成を示すブロック図である。
【図２】動画変換情報の一例である。
【図３】端末情報テーブルの一例である。
【図４】動画ファイル送信装置の処理手順を示すフローチャートである。
【図５】要約動画生成処理手順を示すフローチャートである。
【図６】特徴量と動画再生時間との関係を示している。
【図７】特徴量と動画再生時間との関係を示している。
【図８】特徴量と動画再生時間との関係を示している。
【図９】特徴量と動画再生時間との関係を示している。
【図１０】特徴量と動画再生時間との関係を示している。
【図１１】特徴量と動画再生時間との関係を示している。
【図１２】特徴量と動画再生時間との関係を示している。
【符号の説明】
【００６０】
１  動画送信インターフェイス
２  動画変換／生成装置
３  制御装置
６  動画データベース
７  特徴量抽出装置
【図１】
2009055147.tif 000003
【図２】
2009055147.tif 000004
【図３】
2009055147.tif 000005
【図４】
2009055147.tif 000006
【図５】
2009055147.tif 000007
【図６】
2009055147.tif 000008
【図７】
2009055147.tif 000009
【図８】
2009055147.tif 000010
【図９】
2009055147.tif 000011
【図１０】
2009055147.tif 000012
【図１１】
2009055147.tif 000013
【図１２】
2009055147.tif 000014